(57)【要約】【課題】ネットワークの新規構築及び増設時の運用・保守の利便性向上を可能とし、無線通信装置間特有の無線品質劣化に起因するパス設定失敗時の制御端末と各無線通信装置間のパス情報不一致状態を回避する。【解決手段】制御端末は、各無線通信装置に対応する各装置シンボルを表示画面上に表示し、パスを張りたいものを順番に選択し、始点から終点までの装置シンボル間を繋ぐパスを構成するルートで使用される各無線通信装置のポートに使用可能なチャネルをパス情報として設定し、送信する。各無線通信装置は、制御端末からのパス情報を受信し、始点に対応する無線通信装置が、パス情報に基づいて自身のポートに設定されたチャネルを割り当てるパス設定制御を行い、始点以外に対応する他の無線通信装置に対してパス設定制御を順番に行うようにマスタ装置として動作し、パス設定制御の結果を制御端末に通知する。【選択図】図１８
2010118837.tif 000002
【特許請求の範囲】
【請求項１】
無線回線を介してネットワークを構成する複数のマイクロ波無線通信装置と、
前記複数のマイクロ波無線通信装置のうち所定のマイクロ波無線通信装置に接続される制御端末とを備え、
前記制御端末は、
前記複数のマイクロ波無線通信装置に対応する複数の装置シンボルを表示画面上に表示する表示手段と、
前記表示画面上に表示された前記複数の装置シンボルのうちパスを張りたいものを順番に選択する操作手段と、
選択された始点の装置シンボルから終点の装置シンボルまでの装置シンボル間を繋ぐパス毎に前記複数のマイクロ波無線通信装置のポートに使用可能なチャネルをパス情報として設定するパス情報設定手段と、
設定されたパス情報を送信するパス情報送信手段とを有し、
前記複数のマイクロ波無線通信装置は、
前記制御端末からのパス情報を受信するパス情報受信手段と、
前記始点の装置シンボルに対応するマイクロ波無線通信装置が、受信されたパス情報に基づいて自身のポートにチャネルを割り当てるパス設定制御を行うと共に、前記始点以外の装置シンボルに対応する他のマイクロ波無線通信装置に対してマスタ装置として動作することにより、前記パス情報に基づいて前記他のマイクロ波無線通信装置のポートにチャネルを割り当てるパス設定制御を順番に行わせるパス設定制御手段と、
前記パス設定制御の結果を前記制御端末に通知する制御結果通知手段とを有することを特徴とするマイクロ波無線通信システム。
【請求項２】
前記パス情報設定手段は、前記パス情報として、前記パス毎にポートで使用されるチャネルの異なる複数のルートを同時に設定し、
前記パス設定制御手段は、前記複数のルートに従い、前記パス毎に前記複数のマイクロ波無線通信装置のポートにチャネルを割り当てるパス設定制御を行うことを特徴とする請求項１記載のマイクロ波無線通信システム。
【請求項３】
前記制御端末は、前記パス毎に前記チャネルの本数を設定するチャネル本数設定手段をさらに有し、
前記パス情報設定手段は、設定された前記チャネルの本数に基づいて前記パス毎に前記複数のルートを同時に設定することを特徴とする請求項２記載のマイクロ波無線通信システム。
【請求項４】
前記表示手段は、設定された前記チャネルの本数に応じて、前記表示画面上のパスの表示状態を変更することを特徴とする請求項３記載のマイクロ波無線通信システム。
【請求項５】
前記パス情報設定手段は、前記複数のマイクロ波無線通信装置のポートのチャネル使用状態及びアラーム検出状態に基づいて、前記パス毎に前記複数のルートを設定することを特徴とする請求項２から４のいずれか１項に記載のマイクロ波無線通信システム。
【請求項６】
前記操作手段は、マウスを用いたものであることを特徴とする請求項１から５のいずれか１項に記載のマイクロ波無線通信システム。
【請求項７】
無線回線を介してネットワークを構成する複数のマイクロ波無線通信装置のうち所定のマイクロ波無線通信装置に接続される制御端末であって、
前記複数のマイクロ波無線通信装置に対応する複数の装置シンボルを表示画面上に表示する表示手段と、
前記表示画面上に表示された前記複数の装置シンボルのうちパスを張りたいものを順番に選択する操作手段と、
選択された始点の装置シンボルから終点の装置シンボルまでの装置シンボル間を繋ぐパス毎に前記複数のマイクロ波無線通信装置のポートに使用可能なチャネルをパス情報として設定するパス情報設定手段と、
設定されたパス情報を送信するパス情報送信手段とを有することを特徴する制御端末。
【請求項８】
前記パス情報設定手段は、前記パス情報として、前記パス毎にポートで使用されるチャネルの異なる複数のルートを同時に設定することを特徴とする請求項７記載の制御端末。
【請求項９】
前記パス毎に前記チャネルの本数を設定するチャネル本数設定手段をさらに有し、
前記パス情報設定手段は、設定された前記チャネルの本数に基づいて前記パス毎に前記複数のルートを同時に設定することを特徴とする請求項７又は８記載の制御端末。
【請求項１０】
前記表示手段は、設定された前記チャネルの本数に応じて、前記表示画面上のパスの表示状態を変更することを特徴とする請求項９記載の制御端末。
【請求項１１】
前記パス情報設定手段は、前記複数のマイクロ波無線通信装置のポートのチャネル使用状態及びアラーム検出状態に基づいて、前記パス毎に前記複数のルートを設定することを特徴とする請求項７から１０のいずれか１項に記載の制御端末。
【請求項１２】
前記操作手段は、マウスを用いたものであることを特徴とする請求項７から１１のいずれか１項に記載の制御端末。
【請求項１３】
無線回線を介してネットワークを構成するマイクロ波無線通信装置であって、
制御端末からのパス情報を受信するパス情報受信手段と、
受信されたパス情報に基づいて自身のポートにチャネルを割り当てるパス設定制御を行うと共に、他のマイクロ波無線通信装置に対してマスタ装置として動作することにより、前記パス情報に基づいて前記他のマイクロ波無線通信装置のポートにチャネルを割り当てるパス設定制御を順番に行わせるパス設定制御手段と、
前記パス設定制御の結果を前記制御端末に通知する制御結果通知手段とを有することを特徴とするマイクロ波無線通信装置。
【請求項１４】
前記パス情報には、パス毎にポートで使用されるチャネルの異なる複数のルートが同時に設定され、
前記パス設定制御手段は、前記複数のルートに従い、前記パス毎に前記複数のマイクロ波無線通信装置のポートにチャネルを割り当てるパス設定制御を行うことを特徴とする請求項１３記載のマイクロ波無線通信装置。
【請求項１５】
無線回線を介してネットワークを構成する複数のマイクロ波無線通信装置のうち所定のマイクロ波無線通信装置に接続された制御端末が、
前記複数のマイクロ波無線通信装置に対応する複数の装置シンボルを表示画面上に表示し、
前記表示画面上に表示された前記複数の装置シンボルのうちパスを張りたいものを順番に選択し、
選択された始点の装置シンボルから終点の装置シンボルまでの装置シンボル間を繋ぐパス毎に前記複数のマイクロ波無線通信装置のポートに使用可能なチャネルをパス情報として設定し、
設定されたパス情報を送信し、
前記複数のマイクロ波無線通信装置が、
前記制御端末からのパス情報を受信し、
前記始点の装置シンボルに対応するマイクロ波無線通信装置が、受信されたパス情報に基づいて自身のポートにチャネルを割り当てるパス設定制御を行うと共に、前記始点以外の装置シンボルに対応する他のマイクロ波無線通信装置に対してマスタ装置として動作することにより、前記パス情報に基づいて前記他のマイクロ波無線通信装置のポートにチャネルを割り当てるパス設定制御を順番に行わせ、
前記パス設定制御の結果を前記制御端末に通知することを特徴とするマイクロ波無線通信システムのパス設定制御方法。
【請求項１６】
無線回線を介してネットワークを構成する複数のマイクロ波無線通信装置のうち所定のマイクロ波無線通信装置に接続された制御端末が、
前記複数のマイクロ波無線通信装置に対応する複数の装置シンボルを表示画面上に表示し、
前記表示画面上に表示された前記複数の装置シンボルのうちパスを張りたいものを順番に選択し、
選択された始点の装置シンボルから終点の装置シンボルまでの装置シンボル間を繋ぐパス毎に前記複数のマイクロ波無線通信装置のポートに使用可能なチャネルをパス情報として設定し、
設定されたパス情報を送信することを特徴とする制御端末の動作方法。
【請求項１７】
無線回線を介してネットワークを構成するマイクロ波無線通信装置が、
制御端末からのパス情報を受信し、
受信されたパス情報に基づいて自身のポートにチャネルを割り当てるパス設定制御を行うと共に、他のマイクロ波無線通信装置に対してマスタ装置として動作することにより、前記パス情報に基づいて前記他のマイクロ波無線通信装置のポートにチャネルを割り当てるパス設定制御を順番に行わせ、
前記パス設定制御の結果を前記制御端末に通知することを特徴とするマイクロ波無線通信装置の動作方法。
【請求項１８】
無線回線を介してネットワークを構成する複数のマイクロ波無線通信装置のうち所定のマイクロ波無線通信装置に接続された制御端末のコンピュータに、
前記複数のマイクロ波無線通信装置に対応する複数の装置シンボルを表示画面上に表示する処理と、
前記表示画面上に表示された前記複数の装置シンボルのうちパスを張りたいものを順番に選択する処理と、
選択された始点の装置シンボルから終点の装置シンボルまでの装置シンボル間を繋ぐパス毎に前記複数のマイクロ波無線通信装置のポートに使用可能なチャネルをパス情報として設定する処理と、
設定されたパス情報を送信する処理とを実行させることを特徴とする制御端末の動作プログラム。
【請求項１９】
無線回線を介してネットワークを構成するマイクロ波無線通信装置のコンピュータに、
制御端末からのパス情報を受信する処理と、
受信されたパス情報に基づいて自身のポートにチャネルを割り当てるパス設定制御を行うと共に、他のマイクロ波無線通信装置に対してマスタ装置として動作することにより、前記パス情報に基づいて前記他のマイクロ波無線通信装置のポートにチャネルを割り当てるパス設定制御を順番に行わせる処理と、
前記パス設定制御の結果を前記制御端末に通知する処理とを実行させることを特徴とするマイクロ波無線通信装置の動作プログラム。
【発明の詳細な説明】
【技術分野】
【０００１】
本発明は、マイクロ波無線通信システム、そのパス設定制御方法、マイクロ波無線通信装置、及び制御端末に係り、特にマイクロ波無線通信装置の両端が端局装置、その間が複数の中継装置として繋がれることにより全体の系が構成されるマイクロ波無線通信システムの複数パス同時設定方法並びに装置間パス設定制御方法に関する。
【背景技術】
【０００２】
光装置等に代表される有線装置のネットワーク（有線システム）において、パス管理システムが存在している。パス管理システムの一例として、特許文献１では、作業者用端末装置の表示器の画面を用いて、光海底ケーブルシステムなどの情報伝送システムの各ノードを繋ぐパスを設定する方法が開示されている。このパス設定方法は、例えば複数のパスが多重される通信回線を介して互いにリング状に接続される複数のノードを備える複数のリングネットワークで構成されるネットワークシステムを対象としている。
【０００３】
これによると、自装置が接続されるノードが属するリングネットワークにおける各ノードの間の区間に対応付けて作業者用端末装置の表示器の画面を複数の領域に区分けし、その区間に存在するパスにそれぞれ対応付けられた矢印を区分けされた領域に表示する。そして、設定すべきパスの始点となるノードの低速側チャネルを指定し、設定すべきパスの終点となるノードの低速側チャネルを指定し、指定されたノード区間に対応する表示領域に、設定すべきパスに対応付けられた矢印を表示する。さらに、他に設定すべきパスがある場合は、上記の処理を繰り返し、設定すべきパスに対応付けられた矢印に対応するパスの設定要求を、そのパス形成に関係するノードに送出する。パスの設定要求を受けたノードは、その要求に基づいて新たなパスを形成する。こうすることで、特許文献１のパス設定方法では、ヒューマン・マシン・インタフェースを改善し、運用上の便宜向上を図ることが可能であるとされている。
【０００４】
一方、近年のネットワーク管理では、ＩＰ（Internet Protocol）ネットワーク上のネットワーク機器（ＮＥ：Network Equipment）を監視及び制御するための情報の通信方法を規定したプロトコルとして、ＳＮＭＰ（Simple Network Management Protocol）を用いるのが主流となっている。ＳＮＭＰは、ＯＳＩ（Open Systems Interconnection）参照モデルのアプリケーション層に対応するプロトコルであり、その下位のトランスポート層にＵＤＰ（User Datagram Protocol）を使用する。
【０００５】
ＳＮＭＰでは、管理対象側の機器をＳＮＭＰエージェント（更に「マスターエージェント」及び「サブエージェント」の２種類に細分される場合もある。）と呼び、そのＳＮＭＰエージェントを管理する側の機器をＳＮＭＰマネージャ（又は「ネットワーク管理ステーション（ＮＭＳ）」）と呼ぶ。ＳＮＭＰで利用される管理情報は、ＭＩＢ（Management Information Base：管理情報ベース）と呼ばれるテーブル（データベース）内に格納される。ＭＩＢ内の情報は、オブジェクトＩＤ（識別子）で識別されるオブジェクトの変数（ＭＩＢ変数）で構成される。
【０００６】
ＳＮＭＰマネージャ側は、ＳＮＭＰエージェント側に対しＧｅｔ情報（Ｇｅｔメッセージ）を送信して、オブジェクトＩＤで指定したＭＩＢ内の情報を要求し、その応答を受信したり、ＳＮＭＰエージェント側に対しＳｅｔ情報（Ｓｅｔメッセージ）を送信して、オブジェクトＩＤで指定したＭＩＢ内の情報の設定変更を要求し、その実行結果の応答を受信したり、予め設定されたＭＩＢ内の情報の状態変化（イベント発生）時にＳＮＭＰエージェント側から送られてくる「Ｔｒａｐ（トラップ）」と呼ばれる通知（Ｔｒａｐ通知）を受信したりすることで、ネットワーク管理を行う。
【特許文献１】特開２００２−３５３９８９号公報
【発明の開示】
【発明が解決しようとする課題】
【０００７】
特許文献１に記載されているパス設定方法は、有線システムにおけるパス管理システムの一例である。
【０００８】
これに対し、マイクロ波無線通信装置の両端が端局装置、その間が複数の中継装置として繋がれることにより全体の系が構成されるマイクロ波無線通信システムに代表される無線装置のネットワークにおいて、全無線通信装置を監視及び制御する統合監視制御端末を用いて、パス設定の監視及び制御を実行する場合を考える。
【０００９】
この場合、マイクロ波無線通信システムを構成する無線ネットワーク上の統合監視制御端末と全無線通信装置間で、ＳＮＭＰを使った通信方法を適用し、統合監視制御端末と各無線通信装置をそれぞれＳＮＭＰマネージャとＳＮＭＰエージェントとして、無線品質劣化時に統合監視制御端末から一斉に無線通信装置間の制御を実行する。そうすると、各無線通信装置から統合監視制御端末に送信されるＳＮＭＰ  Ｔｒａｐ通知が消失するなどの通信エラーが生じやすい。このため、有線システムと比べると、パス設定の監視及び制御が失敗する確率が高くなる。したがって、複数のマイクロ波無線通信装置を端局装置及び中継装置として繋いだマイクロ波無線通信システムを対象としたＳＮＭＰのネットワーク管理では、パス設定の監視及び制御を統合監視制御端末と全無線通信装置間の通信ではなく、無線通信装置間の通信で完結させる方法を検討する必要があった。
【００１０】
また、パス設定方法に関しては、１装置毎にユーザがＣＨ（チャネル）をＭａｎｕａｌ（手動）で設定する方法が取られている場合がある。この場合は、同じルートで複数パスを張る場合など、ユーザにとっては複数回設定する必要があり、手間がかかるという問題があった。
【００１１】
本発明の目的は、ネットワークの新規構築及び増設時の運用・保守の利便性向上を可能とし、無線通信装置間特有の無線品質劣化に起因するパス設定失敗時の制御端末と各無線通信装置間のパス情報不一致状態を回避する、マイクロ波無線通信システム及びそのパス設定制御方法を提供することにある。
【課題を解決するための手段】
【００１２】
上記目的を達成するため、本発明に係るマイクロ波無線通信システムは、無線回線を介してネットワークを構成する複数のマイクロ波無線通信装置と、前記複数のマイクロ波無線通信装置のうち所定のマイクロ波無線通信装置に接続される制御端末とを備える。前記制御端末は、前記複数のマイクロ波無線通信装置に対応する複数の装置シンボルを表示画面上に表示する表示手段と、前記表示画面上に表示された前記複数の装置シンボルのうちパスを張りたいものを順番に選択する操作手段と、選択された始点の装置シンボルから終点の装置シンボルまでの装置シンボル間を繋ぐパス毎に前記複数のマイクロ波無線通信装置のポートに使用可能なチャネルをパス情報として設定するパス情報設定手段と、設定されたパス情報を送信するパス情報送信手段とを有する。前記複数のマイクロ波無線通信装置は、前記制御端末からのパス情報を受信するパス情報受信手段と、前記始点の装置シンボルに対応するマイクロ波無線通信装置が、受信されたパス情報に基づいて自身のポートにチャネルを割り当てるパス設定制御を行うと共に、前記始点以外の装置シンボルに対応する他のマイクロ波無線通信装置に対してマスタ装置として動作することにより、前記パス情報に基づいて前記他のマイクロ波無線通信装置のポートにチャネルを割り当てるパス設定制御を順番に行わせるパス設定制御手段と、前記パス設定制御の結果を前記制御端末に通知する制御結果通知手段とを有する。
【００１３】
本発明に係る制御端末は、無線回線を介してネットワークを構成する複数のマイクロ波無線通信装置のうち所定のマイクロ波無線通信装置に接続される制御端末であって、前記複数のマイクロ波無線通信装置に対応する複数の装置シンボルを表示画面上に表示する表示手段と、前記表示画面上に表示された前記複数の装置シンボルのうちパスを張りたいものを順番に選択する操作手段と、選択された始点の装置シンボルから終点の装置シンボルまでの装置シンボル間を繋ぐパス毎に前記複数のマイクロ波無線通信装置のポートに使用可能なチャネルをパス情報として設定するパス情報設定手段と、設定されたパス情報を送信するパス情報送信手段とを有する。
【００１４】
本発明に係るマイクロ波無線通信装置は、無線回線を介してネットワークを構成するマイクロ波無線通信装置であって、制御端末からのパス情報を受信するパス情報受信手段と、受信されたパス情報に基づいて自身のポートにチャネルを割り当てるパス設定制御を行うと共に、他のマイクロ波無線通信装置に対してマスタ装置として動作することにより、前記パス情報に基づいて前記他のマイクロ波無線通信装置のポートにチャネルを割り当てるパス設定制御を順番に行わせるパス設定制御手段と、前記パス設定制御の結果を前記制御端末に通知する制御結果通知手段とを有する。
【００１５】
本発明に係るマイクロ波無線通信システムのパス設定制御方法は、無線回線を介してネットワークを構成する複数のマイクロ波無線通信装置のうち所定のマイクロ波無線通信装置に接続された制御端末が、前記複数のマイクロ波無線通信装置に対応する複数の装置シンボルを表示画面上に表示し、前記表示画面上に表示された前記複数の装置シンボルのうちパスを張りたいものを順番に選択し、選択された始点の装置シンボルから終点の装置シンボルまでの装置シンボル間を繋ぐパス毎に前記複数のマイクロ波無線通信装置のポートに使用可能なチャネルをパス情報として設定し、設定されたパス情報を送信し、前記複数のマイクロ波無線通信装置が、前記制御端末からのパス情報を受信し、前記始点の装置シンボルに対応するマイクロ波無線通信装置が、受信されたパス情報に基づいて自身のポートにチャネルを割り当てるパス設定制御を行うと共に、前記始点以外の装置シンボルに対応する他のマイクロ波無線通信装置に対してマスタ装置として動作することにより、前記パス情報に基づいて前記他のマイクロ波無線通信装置のポートにチャネルを割り当てるパス設定制御を順番に行わせ、前記パス設定制御の結果を前記制御端末に通知することを特徴とする。
【００１６】
本発明に係る制御端末の動作方法は、無線回線を介してネットワークを構成する複数のマイクロ波無線通信装置のうち所定のマイクロ波無線通信装置に接続された制御端末が、前記複数のマイクロ波無線通信装置に対応する複数の装置シンボルを表示画面上に表示し、前記表示画面上に表示された前記複数の装置シンボルのうちパスを張りたいものを順番に選択し、選択された始点の装置シンボルから終点の装置シンボルまでの装置シンボル間を繋ぐパス毎に前記複数のマイクロ波無線通信装置のポートに使用可能なチャネルをパス情報として設定し、設定されたパス情報を送信することを特徴とする。
【００１７】
本発明に係るマイクロ波無線通信装置の動作方法は、無線回線を介してネットワークを構成するマイクロ波無線通信装置が、制御端末からのパス情報を受信し、受信されたパス情報に基づいて自身のポートにチャネルを割り当てるパス設定制御を行うと共に、他のマイクロ波無線通信装置に対してマスタ装置として動作することにより、前記パス情報に基づいて前記他のマイクロ波無線通信装置のポートにチャネルを割り当てるパス設定制御を順番に行わせ、前記パス設定制御の結果を前記制御端末に通知することを特徴とする。
【００１８】
本発明に係る制御端末の動作プログラムは、無線回線を介してネットワークを構成する複数のマイクロ波無線通信装置のうち所定のマイクロ波無線通信装置に接続された制御端末のコンピュータに、前記複数のマイクロ波無線通信装置に対応する複数の装置シンボルを表示画面上に表示する処理と、前記表示画面上に表示された前記複数の装置シンボルのうちパスを張りたいものを順番に選択する処理と、選択された始点の装置シンボルから終点の装置シンボルまでの装置シンボル間を繋ぐパス毎に前記複数のマイクロ波無線通信装置のポートに使用可能なチャネルをパス情報として設定する処理と、設定されたパス情報を送信する処理とを実行させることを特徴とする。
【００１９】
本発明に係るマイクロ波無線通信装置の動作プログラムは、無線回線を介してネットワークを構成するマイクロ波無線通信装置のコンピュータに、制御端末からのパス情報を受信する処理と、受信されたパス情報に基づいて自身のポートにチャネルを割り当てるパス設定制御を行うと共に、他のマイクロ波無線通信装置に対してマスタ装置として動作することにより、前記パス情報に基づいて前記他のマイクロ波無線通信装置のポートにチャネルを割り当てるパス設定制御を順番に行わせる処理と、前記パス設定制御の結果を前記制御端末に通知する処理とを実行させることを特徴とする。
【発明の効果】
【００２０】
本発明によれば、ネットワークの新規構築及び増設時の運用・保守の利便性向上を可能とし、無線通信装置間特有の無線品質劣化に起因するパス設定失敗時の制御端末と各無線通信装置間のパス情報不一致状態を回避することができる。
【発明を実施するための最良の形態】
【００２１】
次に、本発明に係るマイクロ波無線通信システムの実施の形態について、図面を参照して詳細に説明する。
【００２２】
図１は、本実施の形態に係るマイクロ波無線通信システム（以下、無線通信システム）の全体構成を示す。同図に示す無線通信システム２０１は、複数（Ｎｏ．１〜Ｎｏ．２２）のマイクロ波無線通信装置（以下、便宜上、「無線装置」と略称する。）１０を備え、各無線装置１０間を無線回線２０２で繋いでネットワークを構成している。このうち、Ｎｏ．１、Ｎｏ．８、Ｎｏ．１２、Ｎｏ．１４、Ｎｏ．１８、Ｎｏ．２２の各無線装置１０は、ネットワークの端に位置する端局装置となり、その他の無線通信装置１０は、端局装置間を繋ぐ中継装置となる。Ｎｏ．１の無線装置１０は、最上位の「Ｒｏｏｔ  ＮＥ（Network Equipment：ネットワーク機器）」として機能し、無線通信システム１の全無線装置１０を監視制御する統合監視制御端末（以下、便宜上、「制御端末」と略称する。）２２が接続される。
【００２３】
以下の説明では、各無線装置１０間を繋ぐ主信号回線の１単位を「チャネル（以下、必要に応じて「ＣＨ」と略記する。）」と表すものとする。また、「パス」とは、制御端末２２の所定の表示画面（全無線装置１０間の接続をＭＡＰ上のシンボル間の接続で表した全装置ＭＡＰ表示画面）上において、ユーザのマウス操作により選択された始点の無線装置１０から終点の無線装置１０までの接続を表すものとする。さらに、「ルート」とは、パスの詳細情報（ＣＨ情報）、すなわち対象の無線装置１０のどの空きＣＨが使用され、始点の無線装置１０から終点の無線装置１０までパスが繋がっているかの詳細情報を表すものとする。
【００２４】
また、「ＴＲＩＢ」は、各無線装置１０間を繋ぐ主回線からＭＵＸ（Multiplexer）装置（多重化装置）などの支流側に出力する際に使われる無線装置１０のポート（Ｐｏｒｔ）名、「Ｒ１」は無線装置１０の主回線で使用される１番目の無線ポート（Ｒａｄｉｏ  Ｐｏｒｔ）名、「Ｒ２」は無線装置１０の主回線で使用される２番目の無線ポート名をそれぞれ示す。なお、無線装置１０のポート数はこれに限定されず、いずれでも適用可能である。
【００２５】
さらに、「Ｍａｓｔｅｒ（マスタ）装置（又はＭａｓｔｅｒ局）」とは、上記の制御端末２２の全装置ＭＡＰ表示画面上で、ユーザのマウス操作により選択された始点の無線装置１０を指すものとする。
【００２６】
図２は、図１に示す無線装置１０の内部構成を示すブロック図である。
【００２７】
図１に示すように、各無線装置１０は、全体の制御を担う制御部１１のほか、送受信回路を含む複数の無線回路部（図中の例では３つの無線回路部１〜３）１２〜１４と、各無線回路部１２〜１４に個別に接続される複数のアンテナ２１とを有する。無線回路部１２〜１４及びアンテナ２１の数は、３つに限らず、隣接する無線装置１０の数等に応じて変更可能である。
【００２８】
その他、各無線通信装置１０は、ＳＮＭＰ通信処理部１５、Ａｌａｒｍ（アラーム）検出処理部１６、自パス情報保存部（データベース）１７、パス管理処理部１８、受信全パス情報保存部（データベース）１９、及び監視制御端末インタフェース部２０を有する。
【００２９】
ＳＮＭＰ通信処理部１５は、制御部１１による制御のもとで、前述したＳＮＭＰエージェントの機能を有し、制御端末２２との間で、前述したＳＮＭＰに従い、パス設定情報を含む必要な情報をやりとりする。ＳＮＭＰ通信処理部１５は、制御部１１及び監視制御端末インタフェース部２０と共に、本発明のパス情報受信手段を構成する。
【００３０】
Ａｌａｒｍ検出処理部１６は、自無線装置１０のＢＥＲ（Bit Error Rate）  Ａｌａｒｍや、ＬＯＦ（Los of Frame：フレーム・ロス）、または各ＣＨのＬＯＳ（Los of Signal：シグナル・ロス）などのＡｌａｒｍが発生しているかをチェックする。
【００３１】
自パス情報保存部１７は、自パス情報を保存する。図３は、Ｎｏ．１の無線装置１０の自パス情報保存部１７に保存される自パス情報の一例を示す。同図に示すように、自パス情報としては、自無線装置１０に備わるポート（ＴＲＩＢ、Ｒ１、Ｒ２等）毎に、ＣＨ（ＣＨ０１等）にアサインされた（割り当てられた）パス（パス１等）及びルート（ルート１等）の情報が設定されている。
【００３２】
パス管理処理部１８は、受信したパス設定情報から、自パス情報保存部１７を検索し、空きチャネル（ＣＨ）がないかチェックし、更にＡｌａｒｍ検出処理部１６で装置のＢＥＲ  Ａｌａｒｍや、ＬＯＦ、または各ＣＨのＬＯＳなどのＡｌａｒｍが発生していないかチェックを行う。そして、パス管理処理部１８は、上記チェックで問題なければ、受信したパス設定情報から自無線装置１０宛てのパス設定を実行し、そのパス設定に対応する自パス情報を自パス情報保存部１７に保存する。
【００３３】
受信全パス情報保存部１９は、受信したデータを受信全パス情報として保存する。図４は、受信全パス情報の一例を示す。図４の例では、受信全パス情報として、４つのパス、すなわちパス１（Ｎｏ．１〜Ｎｏ．１２）、パス２（Ｎｏ．３〜Ｎｏ．１８）、パス３（Ｎｏ．３〜Ｎｏ．２２）、パス４（Ｎｏ．３〜Ｎｏ．１２）が設定され、各パス毎に複数のルートが設定されている。例えば、パス１では、Ｎｏ．１、Ｎｏ．２、Ｎｏ．３、Ｎｏ．９、Ｎｏ．１０、Ｎｏ．１１、Ｎｏ．１２の各無線装置１０を対象として、５つのルート、すなわちルート１〜５が設定され、ルート１〜５毎に各無線装置１０のポートにアサインされているＣＨ情報が設定されている。また、パス２では、Ｎｏ．３、Ｎｏ．９、Ｎｏ．１５、Ｎｏ．１６、Ｎｏ．１７、Ｎｏ．１８の各無線装置１０を対象として、５つのルート、すなわちルート１〜５が設定され、ルート１〜５毎に各無線装置１０のＰｏｒｔにアサインされているＣＨ情報が設定されている。
【００３４】
監視制御端末インタフェース部２０は、最上位の無線通信装置１０を制御端末２２に通信可能に繋げる時に用いられるものである。本実施の形態では、ＳＮＭＰ通信処理部１５を介して、制御端末２２から始点のＭａｓｔｅｒ装置となる無線装置１０に対してＳＮＭＰの「Ｓｅｔ」制御情報として、パス設定情報が送信される。これにより、制御端末２２からのパス設定情報に基づいて、始点の無線装置１０をＭａｓｔｅｒ装置として、パスを構成するルート上の各無線装置１０により自身のポートに使用可能な所定本数のＣＨを設定するパス設定制御が行われる。
【００３５】
パス管理処理部１８は、受信したデータを受信全パス情報保存部１９に保存する。また、パス管理処理部１８は、受信したパス設定情報から、自パス情報保存部１７を検索し、空きチャネル（ＣＨ）がないかチェックし、更にＡｌａｒｍ検出処理部１６で装置のＢＥＲ  Ａｌａｒｍや、ＬＯＦ、または各ＣＨのＬＯＳなどのＡｌａｒｍが発生していないかチェックを行う。そして、パス管理処理部１８は、上記チェックで問題なければ、受信したパス設定情報から自装置宛てのパス設定を実行し、そのパス設定に対応する自パス情報を自パス情報保存部１７に保存する。
【００３６】
その後、引き続き、対象Ｍａｓｔｅｒ装置となる無線装置１０の配下に繋がっている他の無線装置１０に対してパス設定情報を順番に送信して、その結果を保存していく。全装置パス設定制御が成功した場合には、ＳＮＭＰの「Ｔｒａｐ」通知によりパス設定制御ＯＫが統合監視制御端末２２に送付され、全装置ＭＡＰ表示画面（パスルート表示画面）上にパス表示が反映され、パス設定制御が完結する。
【００３７】
パス管理処理部１８は、制御部１１、無線回路部１〜３、Ａｌａｒｍ検出処理部１６、自パス情報保存部１７、受信全パス情報保存部１９と共に、パス設定制御手段を構成する。
【００３８】
制御端末２２は、オペレータが使用するもので、最上位の無線通信装置１０のみ接続される。制御端末２２は、図５に示すように、前述したＳＮＭＰマネージャとして、ＳＮＭＰを使用し、各無線装置１０をＳＮＭＰエージェントとして、ネットワーク監視を実施する。なお、ＳＮＭＰエージェントとして動作する無線装置１０は、始点の無線装置１０、すなわちＭａｓｔｅｒ装置である。
【００３９】
図６は、制御端末２２の内部構成を示す。同図に示す制御端末２２は、その内部に構築されるパス管理データベース１００として、パス情報保存部（データベース）１０２、ＣＨ設定結果（ルート情報）保存部（データベース）１０３を有する。その他、制御端末２２は、装置ＣＨ情報保存部（データベース）１０１、全体の制御を担う制御部１０４、画面作成処理部１０５、マウス操作検出処理部１０６、空きＣＨ／Ａｌａｒｍ検出処理部１０７、ＣＨ使用率検出処理部１０８、ネットワーク構成情報保存部１０９、表示部１１０、マウスなどの操作部１１１、最上位の無線装置１０に通信可能に接続されるインタフェース部１１２、ＳＮＭＰマネージャの機能を有するＳＮＭＰ通信処理部１１３を有する。このうち、インタフェース部１１２及びＳＮＭＰ通信処理部１１３は、制御部１０４と共に、本発明のパス情報送信手段を構成する。
【００４０】
マウス操作検出処理部１０６は、制御部１０４による制御のもとで、操作部１１１を通じてユーザのマウス操作（右クリック操作、右ダブルクリック操作、左クリック操作、左ダブルクリック操作等）を検出し、その検出信号を制御部１０４に送る。マウス操作検出処理部１０６は、制御部１０４及び操作部１１１と共に、本発明の操作手段を構成する。
【００４１】
画面作成処理部１０６は、制御部１０４による制御のもとで、各種画面を作成し、その画面を表示部１１０上に表示させる処理を行う。画面作成処理部１０６により作成される各種画面には、後述する全装置ＭＡＰ表示画面であるパスルート表示画面のほか、ＣＨ使用率画面、ＣＨ本数画面、ＣＨ設定結果画面、パス選択画面が含まれる。画面作成処理部１０６は、制御部１０４及び表示部１１０と共に、本発明の表示手段を構成する。
【００４２】
図７は、パス情報保存部１０２により保管されるパス情報の一例を示す。図７の例では、４つのパス、すなわちパス１（Ｎｏ．１〜Ｎｏ．１２）、パス２（Ｎｏ．３〜Ｎｏ．１８）、パス３（Ｎｏ．３〜Ｎｏ．２２）、パス４（Ｎｏ．３〜Ｎｏ．１２）が設定されている。
【００４３】
図８は、ＣＨ設定結果保存部１０３により保管されるＣＨ設定結果（ルート情報）の一例を示す。図８の例では、ＣＨ設定結果として、パス毎に複数のルートが設定され、そのルート毎に各無線装置１０のＰｏｒｔにアサインされているＣＨ情報が設定されている。例えば、パス１では、Ｎｏ．１、Ｎｏ．２、Ｎｏ．３、Ｎｏ．９、Ｎｏ．１０、Ｎｏ．１１、Ｎｏ．１２の各無線装置１０を対象として、５つのルート、すなわちルート１〜５が設定され、ルート１〜５毎に各無線装置１０のＰｏｒｔにアサインされているＣＨ情報が設定されている。また、パス２では、Ｎｏ．３、Ｎｏ．９、Ｎｏ．１５、Ｎｏ．１６、Ｎｏ．１７、Ｎｏ．１８の各無線装置１０を対象として、５つのルート、すなわちルート１〜５が設定され、ルート１〜５毎に各無線装置１０のポートにアサインされているＣＨ情報が設定されている。
【００４４】
図９は、装置ＣＨ情報保存部１０１により保管される装置ＣＨ情報の一例を示す。図９の例では、装置ＣＨ情報として、無線装置１０のポート（ＴＲＩＢ、Ｒ１、Ｒ２等）毎にアサインされた各ＣＨのＣＨ使用情報（使用又は空き）及びＡｌａｒｍ発生情報（無し又は有り）が設定されている。
【００４５】
図１０は、ネットワーク構成情報保存部１０９により保管されるネットワーク構成情報の一例を示す。図１０の例では、ネットワーク構成情報として、無線装置１０毎に、シンボル名（Ｎｏ．１等）、装置タイプ（Ｒｏｏｔ  ＮＥ等）、隣接装置１〜３、ＭＡＰ配置座標が設定されている。
【００４６】
空きＣＨ／Ａｌａｒｍ検出処理部１０７は、制御部１０４による制御のもとで、ネットワーク構成情報保存部１０９に保管されるネットワーク構成情報にもとづいて、指定された無線装置１０のポート毎の空きＣＨ及びＡｌａｒｍを検出し、その検出信号を制御部１０４に送る。
【００４７】
ＣＨ使用率検出処理部１０８は、制御部１０４による制御のもとで、ネットワーク構成情報保存部１０９に保管されるネットワーク構成情報にもとづいて、指定された無線装置１０のポート毎にＣＨ使用率を検出し、その検出信号を制御部１０４に送る。
【００４８】
以上のパス管理データベース１００（パス情報保存部１０２、ＣＨ設定結果保存部１０３）、装置ＣＨ情報保存部１０１、ネットワーク構成情報保存部１０９、空きＣＨ／Ａｌａｒｍ検出処理部１０７、ＣＨ使用率検出処理部１０８は、制御部１０４と共に本発明のパス情報設定手段を構成する。
【００４９】
図１１は、制御端末２２の表示部１１０に表示された全装置表示ＭＡＰ画面であるパスルート表示画面Ｍ１上において、パスを張りたい要所箇所の無線装置１０のシンボルに対して連続的に操作部１１１（以下、「マウス」）を使ってマウス操作を行うことにより、簡易的に複数パスを同時設定する方法を示している。なお、パスルート表示画面Ｍ１は、画面作成処理部１０５により作成され、表示部１１０の画面上に表示される。
【００５０】
図１１では、一例として、制御端末２２のパスルート表示画面Ｍ１上において、Ｎｏ．１の無線装置１０からＮｏ．１２の無線装置１０までパス設定を実行する場合を説明するものである。この場合、まず、Ｎｏ．１の無線装置１０のシンボルに対してマウスの「左クリック」操作を実行し、始点を選択する。次に、Ｎｏ．３の無線装置１０のシンボルに対してマウスの「左クリック」操作を実行する。以下同様に、Ｎｏ．９、Ｎｏ．１１の各無線装置１０のシンボルに対してマウスの「左クリック」操作を実行する。最後に、Ｎｏ．１２の無線装置１０のシンボルに対してマウスの「左ダブルクリック」操作を実行し、終点（末端）を選択する。これらの操作は、マウス操作検出処理部１０６により検出され、その検出信号が制御部１０４に送られる。これにより、パス設定を行う無線装置１０の選択を完了する。
【００５１】
次に、制御端末２２は、制御部１０４により、ネットワーク構成情報保存部１０９に保持している無線装置１０のネットワーク構成情報に基づいて、始点となるＮｏ．１の無線装置１０から選択された無線装置１０を次々に辿り、終点となるＮｏ．１２の無線装置１０まで１ルートでパスラインが引けるかチェックする。その結果、１ルートでパスラインが引けると判断された場合は、パスルート表示画面Ｍ１から次の画面へ遷移する処理を行う。一方、途中で分岐箇所などがあれば、表示部１１０の画面上にエラーを表示し、無線装置１０のパス設定は失敗し、処理から抜ける。
【００５２】
また、ユーザが現状の無線装置１０のＣＨの空き具合を確認するために、無線装置１０のシンボルに対してマウスの「右ダブルクリック」操作を実行すると、その操作がマウス操作検出処理部１０６により検出され、その検出信号が制御部１０４に送られ、画面作成処理部１０６により、図１１に示すように、ＣＨ使用率画面Ｍ２が作成され、表示部１１０の画面上に表示される。なお、ＣＨ使用率画面Ｍ２上のＴＲＩＢ表示は、無線装置１０間の接続からＭＵＸ装置など支流に落とす時に使われる無線装置１０のＰｏｒｔ名を示している。また、Ｒ１は無線装置１０の１番目のＲａｄｉｏ  Ｐｏｒｔ名、Ｒ２は無線装置１０の２番目のＲａｄｉｏ  Ｐｏｒｔ名を示す。
【００５３】
ここで、ＣＨに空きがあれば、前記で説明したように、順次、無線装置１０のシンボルに対してマウスの「左クリック」操作を実行し、最終の無線装置１０のシンボルに対してマウスの「左ダブルクリック」操作を実行する。これらの操作は、マウス操作検出処理部１０６により検出され、その検出信号が制御部１０４に送られる。これにより、Ｍａｘ空きＣＨ分までのパス設定は同時に制御が可能となっている。
【００５４】
図１２は、図１１にて説明したＮｏ．１の無線装置１０からＮｏ．１２の無線装置１０まで１ルートでパスラインが引けると判断され、次の画面へ遷移する場合を説明するものである。この場合、画面作成処理部１０６により、図１２（ａ）に示すＣＨ本数選択画面Ｍ３が作成され、表示部１１０の画面上に表示される。このＣＨ本数選択画面Ｍ３上で、ユーザがパスを引きたいＣＨ本数分を入力し、「ＯＫ」ボタンを押す。すると、制御端末２２は、制御部１０４により、パス管理データベース１００に保持されている情報から、各無線装置１０の空きＣＨ及び各ＣＨのＡｌａｒｍ情報も確認して、設定可能なパスをアサインし、画面作成処理部１０６により、そのＣＨ設定結果を図１２（ｂ）に示すＣＨ設定結果画面Ｍ４として作成し、表示部１１０の画面上に表示する。アサインが正常に行われない場合は、表示部１１０の画面上にエラーを表示し、処理から抜ける。ＣＨ設定結果画面Ｍ４上に表示されている項目名、ＴＲＩＢは前記説明と同じで主回線からＭＵＸ装置へ出力するＰｏｒｔ名を表している。また、Ｒ１、Ｒ２、…はＲａｄｉｏ  Ｐｏｒｔ名を表し、その数字部分は複数あるＲａｄｉｏ  Ｐｏｒｔ番号を示す。
【００５５】
次に、図１２（ｂ）に示すＣＨ設定結果画面Ｍ４が開いた状態で、「ＯＫ」ボタンを押すと、制御端末２２は、制御部１０４による制御のもとで、ＳＮＭＰ通信処理部１１３により、インタフェース部１１２を介して、始点のＮｏ．１の無線装置１０に向けて、「ＳＮＭＰ  Ｓｅｔ」制御情報として、上記ＣＨ設定結果（ルート情報）に対応するパス設定情報を送信し、これにより無線装置１０によるパス設定制御が実行される。一方、この制御前に、ＣＨ設定結果画面Ｍ４内のＣＨ番号を変更したい場合は、「設定ＣＨ変更」ボタンを押すことによって、各無線装置１０のＣＨ設定の変更（アサインが可能なＣＨ）が可能となっている。ＣＨ設定を変更後、「ＯＫ」ボタンを押すと、制御端末２２は、制御部１０４による制御のもとで、ＳＮＭＰ通信処理部１１３により、インタフェース部１１２を介して、始点のＮｏ．１の無線装置１０に向けて、「ＳＮＭＰ  Ｓｅｔ」制御情報として、変更されたＣＨ設定結果に対応するパス設定情報を送信し、これにより無線装置１０によるパス設定の制御が実行される。
【００５６】
図１３は、図１２にて説明したＮｏ．１の無線装置１０からＮｏ．１２の無線装置１０までのＣＨ設定結果画面Ｍ４のＣＨ設定結果に対応するパス設定情報に基づくパス設定制御が正常に実行された場合に、制御端末２２のパスルート表示画面Ｍ１上に反映された画面内容を示している。図中の符号８０はパスルート表示を示している。選択されているＣＨ数によって、ラインの太さや色を変えることを可能とする。ＣＨ数は無線装置１０の種類によっても違うので（例えば、無線装置１０の帯域により選択できるＣＨ本数が変わってくる）、予めラインの太さと色は、制御端末２２の内部データとして定義しておく。必要があれば、データをパスルート表示画面Ｍ１上の所定箇所に表示させて、ユーザに設定変更も可能としておくこともできる。ラインの太さと色は、例えば同じパスルートが１０本だったら極太の線で赤、５本だったら太い線でオレンジ、１本だったら普通の太さの線で黄色など、定義が可能である。
【００５７】
図１４は、制御端末２２のパスルート表示画面Ｍ１上で、現状のパス設定情報を確認したいときに使う機能を示している。図１４では、符号９０に示すようにライン上のマウスを使用して「左ダブルクリック」操作でＣＨ設定結果画面Ｍ４を表示させることを可能とする。ただし、パスルート表示画面Ｍ１上では、パスルートが複数重なって表示されている場合がある。その場合は、図１２で示したパス選択画面Ｍ５を表示させる。図１１において、符号９１に示すように、Ｎｏ．３の無線装置１０と、Ｎｏ．９の無線装置１０のシンボルに対してマウスの「左ダブルクリック」操作を実行することで、そのパスが含まれている全ルートを図１５（ａ）のパス選択画面Ｍ５に表示する。図１５では、一例としては、パス１としてＮｏ．１からＮｏ．１２の１ルート、パス２としてＮｏ．３からＮｏ．１８の１ルート、パス３としてＮｏ．３からＮｏ．２２の１ルート、パス４としてＮｏ．３からＮｏ．９の１ルートが複数あることを示している。
【００５８】
図１４の例では、パス２を選択していることを表しているので背景色をグレー表示させている。その状態で「ＯＫ」ボタンを押すと、選択されたパス２のＣＨ設定結果画面Ｍ４が表示される。このＣＨ設定結果画面Ｍ４上において、もしＣＨ変更をユーザがしたい場合には、前記と同じように「設定ＣＨ変更」ボタンを押して、画面上のアサインＣＨ設定を希望するＣＨに変更し、「ＯＫ」ボタンを押せば、始点のＮｏ．３の無線装置１０にＣＨ設定結果画面Ｍ４の情報が「ＳＮＭＰ  Ｓｅｔ」制御情報としてＮｏ．３の無線装置１０に送信され、制御結果がＯＫになれば、新しい情報でＣＨ設定結果画面Ｍ４が更新されることとなる。
【００５９】
次に、図１６を使用して、制御端末２２側のパス設定動作の概要シーケンスを説明する。このシーケンスに対応する動作プログラムは、制御部１０４内の記録媒体（非図示）に格納され、制御部１０４内のプロセッサ（ＣＰＵ）により実行される。
【００６０】
まず始めに、制御端末２２は、パスルート表示画面Ｍ１を開く（ステップＳ１０１）。ユーザはマウスを利用して、パスルート表示画面Ｍ１上の張りたいパスルートの要所箇所の無線装置１０のシンボルを、パスルートを張りたい順番にマウスの「左クリック」操作で選択し、パスルートの末端の無線装置１０のシンボルに対してマウスの「左ダブルクリック」操作を実行して終了させる。ただし、制御端末２２内のパス管理データベース１００から対象無線装置１０の空きＣＨが無い、またはＡｌａｒｍ状態が検出された場合には、エラーが表示され、無線装置１０のシンボルの選択は不可となる。また、パスルートを張りたい無線装置１０のシンボルに対してマウスの「右ダブルクリック」操作でＣＨ使用率画面Ｍ２を、パスルートを張ることが可能かを判断できるように、ユーザの参考用に表示可能とする。
【００６１】
次に、制御端末２２は、ユーザが選択した始点の無線装置１０のシンボルから末端の無線装置１０のシンボルまでを、ネットワーク構成情報保存部１０９に保持しているネットワーク構成情報から１ルートでパスラインが問題なく引ける接続か確認する（ステップＳ１０２）。もしルートの途中で分岐が含まれていたら、エラーとする。問題なければ、次の作業に進む。
【００６２】
次に、制御端末２２は、パス管理データベース１００を参照し、選択された装置タイプから許容されているＣＨ本数（例えば、装置の帯域により選択できるＣＨ本数が変わってくる）、ユーザが選択した全無線装置１０の空きＣＨの状況、ユーザが選択した全無線装置１０のＡｌａｒｍ発生情報を確認後、選択できるＣＨ本数を判断し、判断結果をＣＨ本数選択画面Ｍ３に表示する（ステップＳ１０３）。
【００６３】
次に、制御端末２２は、表示されたＣＨ本数選択画面Ｍ３上で、ユーザから選択されたＣＨ本数で、パス管理データベース１００からアサインできるＣＨを検索処理し、検索した結果をＣＨ設定結果画面Ｍ４上に、各ポートにアサインすることが可能なＣＨ内容を表示する（ステップＳ１０４）。
【００６４】
次に、検索処理結果を表示したＣＨ設定結果画面Ｍ４上において、ユーザが判断する上で問題があれば（例えば他ＣＨの方が良い等）、ＣＨ設定結果画面Ｍ４上の「設定ＣＨ変更」ボタンを押下して、ユーザは選択可能な別のＣＨに変更が可能となるため、選択を変更する（ステップＳ１０５）。制御端末２２が検索した最初のＣＨ設定結果画面Ｍ４上の内容で問題なければ、ステップＳ１０５の処理は行わない。
【００６５】
次に、ユーザによりＣＨ設定結果画面Ｍ４上の「ＯＫ」ボタンが押下される（ステップＳ１０６）と、制御端末２２は、「ＯＫ」ボタンの押下により、制御端末２２から始点の無線装置２２側にＣＨ設定結果画面Ｍ４のパス設定情報であるパスルートの全情報を送信する。
【００６６】
次に、制御端末２２は、パスルートの全情報を送信した始点の無線装置１０からのパスルート情報設定がＯＫで返信が返ってきた場合、パスルート表示画面Ｍ１上にラインを引き、パス管理データベース１００に設定内容を保存する（ステップＳ１０７）。パスルート表示画面Ｍ１上のライン表示に関しては、ＣＨ本数によって太さや色を変え、ユーザに分かり易い様に表示する。ＣＨ設定結果画面Ｍ４上の「ＯＫ」ボタンに関しては、制御が成功したことにより、同じデータを送信させない様にするため、Ｄｉｓａｂｌｅ（無効）表示とする。また、パスルート情報設定がエラーで戻ってきた場合は、「ＳＮＭＰ  Ｔｒａｐ」制御情報内に保持されているエラーを制御端末２２の画面上にエラー情報として表示し、制御を終了させる。
【００６７】
次に、図１７を使用して、制御端末２２側のＣＨ設定結果画面Ｍ４の再Ｏｐｅｎ動作の概要シーケンスを説明する。このシーケンスに対応する動作プログラムは、制御部１０４内の記録媒体（非図示）に格納され、制御部１０４内のプロセッサ（ＣＰＵ）により実行される。
【００６８】
まず始めに、制御端末２２は、ユーザが制御端末２２の表示部１１０の画面上で、設定されたパスルートを確認するため、パスルート表示画面Ｍ１を開く（ステップＳ２０１）。ユーザはマウスを利用して、パスルート表示画面Ｍ１上の確認したいパスルートに含まれるライン上で、「左ダブルクリック」操作を実行する。
【００６９】
次に、制御端末２２は、パス管理データベース１００から必要情報を検索した結果、選択されたライン上に複数パスがあると判断した場合には、パス選択画面Ｍ５を開く（ステップＳ２０２）。また、パスが一本のみしか存在しない場合は、パス選択画面Ｍ５は表示せず、次に処理（ステップＳ２０４）に進む。
【００７０】
次に、選択されたライン上に複数パスがあると判断した場合には、表示されたパス選択画面Ｍ５からユーザが表示したいパスを選択し実行する（ステップＳ２０３）。
【００７１】
次に、制御端末２２は、選択対象のパスルートのＣＨ設定結果画面Ｍ４を表示する（ステップＳ２０４）。ＣＨ設定結果画面Ｍ４上の「ＯＫ」ボタンはＤｉｓａｂｌｅ（無効）表示となっているが、ユーザが設定内容を変更したい場合には、ＣＨ設定結果画面Ｍ４上の「設定ＣＨ変更」ボタンを押下し、値を変更すると「ＯＫ」ボタンがＥｎａｂｌｅ（有効）表示になり、再度「ＯＫ」ボタンで変更内容を実行でき、新しい制御も可能とする。
【００７２】
次に、図１８を参照して、本実施例である無線装置１０間のパス設定方法のシーケンスを説明する。このシーケンスに対応する制御端末１０４の動作プログラムは、制御部１０４内の記録媒体（非図示）に格納され、制御部１０４内のプロセッサ（ＣＰＵ）により実行される。また、上記シーケンスに対応する無線装置１０の動作プログラムは、制御部１１内の記録媒体（非図示）に格納され、制御部１１内のプロセッサ（ＣＰＵ）により実行される。
【００７３】
図１８の例では、制御端末２２と全無線装置１０間の一連のシーケンスを表している。このシーケンスは、図１１において、制御端末２２のパスルート表示画面Ｍ４上で、ユーザがＮｏ．１→Ｎｏ．２→Ｎｏ．３→Ｎｏ．９→Ｎｏ．１０→Ｎｏ．１１の順番で、各無線装置１０のシンボルに対してマウスを「左クリック」操作し、最後の末端となる無線装置１０としてＮｏ．１２の無線装置１０のシンボルをマウスで「左ダブルクリック」操作して完了させた場合を示している。この例では、図１２（ａ）のＣＨ本数選択画面Ｍ３を開き、ＣＨ本数の入力後、制御を実行し、ＣＨ設定結果画面Ｍ４を表示し、「ＯＫ」ボタンの押下によりパスルートの制御を実行する場合を説明する。
【００７４】
まず始めに、制御端末２２から、インタフェース部１１２を介して、パスルートの始点装置（Ｍａｓｔｅｒ局）であるＮｏ．１の無線装置１０にＣＨ設定結果画面Ｍ４のパス設定情報を送付する（ステップＳ１）。これを受信したＮｏ．１の無線装置１０は、受信したパス設定情報を受信全パス情報保存部１９に保存し（ステップＳ２）、監視制御端末インタフェース部２０を介して、制御端末２２にＲｅｓｐｏｎｓｅとして受信ＯＫを返送する（ステップＳ３）。
【００７５】
次に、Ｎｏ．１の無線装置１０は、パス設定情報に基づいて、自無線装置１０の配下に繋がるＮｏ．２、Ｎｏ．３、Ｎｏ．９、Ｎｏ．１０、Ｎｏ．１１、Ｎｏ．１２の各無線装置１０から無線回線部を介して現状のＣＨ設定に関するパス設定情報（自パス情報）をＧｅｔし、全無線装置１０のパス設定情報を旧パス設定情報として内部に保存する（ステップＳ４）。
【００７６】
次に、Ｎｏ．１の無線装置１０は、パス管理処理部１８により、要求されたパス設定情報から自無線装置１０の空きＣＨ数を自パス情報保存部１７で確認後、Ａｌａｒｍ検出部１６でアサイン可能かチェックを実施する。チェックした結果、問題がなければ、パス設定情報に含まれる自パス情報を自パス情報保存部１７に設定後、パス設定情報に基づいて、ルート配下の他の無線装置１０を順番に制御する（ステップＳ５）。
【００７７】
次に、Ｎｏ．１の無線装置１０からＮｏ．２の無線装置１０に対して、無線回線部を介して、Ｎｏ．２の無線装置１０に対するＣＨ設定情報を含むパス設定情報を送付する（ステップＳ６）。これを受信したＮｏ．２の無線装置１０は、パス管理処理部１８により、要求されたパス設定情報から、自無線装置１０の空きＣＨ数を自パス情報保存部１７で確認後、Ａｌａｒｍ検出部１６でアサイン可能かチェックを実施する（ステップＳ７）。チェックした結果、問題がなければ、パス設定情報に含まれる自パス情報を自パス情報保存部１７に設定後、無線回線部を介して、Ｎｏ．１の無線装置１０に制御成功（制御ＯＫ）を応答する（ステップＳ８）。これを受信したＮｏ．１の無線装置１０は、Ｎｏ．２の無線装置１０の自パス情報を受信全パス情報として受信全パス情報保存部１９に保存する（ステップＳ９）。
【００７８】
次に、Ｎｏ．１の無線装置１０からＮｏ．３の無線装置１０に対して、無線回線部を介して、Ｎｏ．３の無線装置１０に対するＣＨ設定情報を含むパス設定情報を送付する（ステップＳ１０）。受信したＮｏ．３の無線装置１０は、パス管理処理部１８により、要求されたパス設定情報から自無線装置１０の空きＣＨ数を自パス情報保存部１７で確認後、Ａｌａｒｍ検出部１６でアサイン可能かチェックを実施する（ステップＳ１１）。チェックした結果、問題がなければ、パス設定情報に含まれる自パス情報を自パス情報保存部１７に設定後、無線回線部を介して、Ｎｏ．１の無線装置１０に制御成功（制御ＯＫ）を応答する（ステップＳ１２）。これを受信したＮｏ．１の無線装置１０は、Ｎｏ．３の無線装置１０の自パス情報を受信全パス情報として受信全パス情報保存部１９に保存する（ステップＳ１３）。Ｎｏ．９、Ｎｏ．１０、Ｎｏ．１１の各無線装置１０に関しても、同じ処理を実行する。
【００７９】
最後に、Ｎｏ．１の無線装置１０からパスルートの終端装置であるＮｏ．１２の無線装置に対して、無線回線部を介して、Ｎｏ．１２の無線装置に対するＣＨ設定情報を含むパス設定情報を送付する（ステップＳ１４）。受信したＮｏ．１２の無線装置１０は、パス管理処理部１８により、要求されたパス設定情報から自無線装置１０の空きＣＨ数を自パス情報保存部１７で確認後、Ａｌａｒｍ検出部１６でアサイン可能かチェックを実施する（ステップＳ１５）。チェックした結果、問題がなければ、パス設定情報に含まれる自パス情報を自パス情報保存部１７に設定後、無線回線部を介して、Ｎｏ．１の無線装置１０に制御成功（制御ＯＫ）を応答する（ステップＳ１６）。これを受信したＮｏ．１の無線装置１０は、受信全パス情報保存部１９に保存する（ステップＳ１７）。また、Ｎｏ．１の無線装置１０のパスルート配下の全無線装置１０の制御が成功したので、内部に保持している全無線装置１０の旧パス設定情報を廃棄する。
【００８０】
その処理の後に、Ｎｏ．１の無線装置１０は、監視制御端末インタフェース部２０を介して、制御端末２２に全パス設定ＯＫの「ＳＮＭＰ  Ｔｒａｐ」制御情報を送信する（ステップＳ１８）。これを受信した制御端末２２は、制御結果の内容を、パスルート表示画面Ｍ１、ＣＨ設定結果画面Ｍ４、及びパス管理データベース１００の情報に新しい設定内容として反映させる。
【００８１】
図１９は、図１８のシーケンスにおけるパス設定が失敗した場合のシーケンスを表している。このシーケンスに対応する制御端末１０４の動作プログラムは、制御部１０４内の記録媒体（非図示）に格納され、制御部１０４内のプロセッサ（ＣＰＵ）により実行される。また、上記シーケンスに対応する無線装置１０の動作プログラムは、制御部１１内の記録媒体（非図示）に格納され、制御部１１内のプロセッサ（ＣＰＵ）により実行される。
【００８２】
まず始めに、制御端末２２から、インタフェース部１１２を介して、パスルートの始点装置であるＮｏ．１の無線装置１０にＣＨ設定結果画面Ｍ４のパス設定情報を送付する（ステップＳ１）。これを受信したＮｏ．１の無線装置１０は、受信したデータを受信全パス情報保存部１９に保存し（ステップＳ２）、監視制御端末インタフェース部２０を介して、制御端末２２にＲｅｓｐｏｎｓｅとして受信ＯＫを返送する（ステップＳ３）。
【００８３】
次に、Ｎｏ．１の無線装置１０は、パス設定情報に基づいて、自無線装置１０の配下に繋がるＮｏ．２、Ｎｏ．３、Ｎｏ．９、Ｎｏ．１０、Ｎｏ．１１、Ｎｏ．１２の各無線装置１０から現状のパス設定情報（自パス情報）をＧｅｔし、全無線装置１０のパス設定情報を旧パス設定情報として内部に保存する（ステップＳ４）。
【００８４】
次に、Ｎｏ．１の無線装置１０は、パス管理処理部１８により、要求されたパス設定情報から自無線装置１０の空きＣＨ数を自パス情報保存部１７で確認後、Ａｌａｒｍ検出部１６でアサイン可能かチェックを実施する（ステップＳ５）。チェックした結果、問題がなければ、パス設定情報に含まれる自パス情報を自パス情報保存部１７に設定後、ルート配下の他無線装置１０を順番に制御する。
【００８５】
次に、Ｎｏ．１の無線装置１０からＮｏ．２の無線装置１０に対して、Ｎｏ．２の無線装置１０に対するＣＨ設定情報を含むパス設定情報を送付する（ステップＳ６）。これを受信したＮｏ．２の無線装置１０は、パス管理処理部１８により、要求されたパス設定情報から自無線装置１０の空きＣＨ数を自パス情報保存部１７で確認後、Ａｌａｒｍ検出部１６でアサイン可能かチェックを実施する（ステップＳ７）。チェックした結果、問題がある場合は、Ｎｏ．１の無線装置１０に制御失敗（制御ＮＧ）を、失敗理由（例えば、空きＣＨがない、装置Ａｌａｒｍ発生中など）と共に応答する（ステップＳ２０）。これを受信したＮｏ．１の無線装置１０は、制御端末２２に全パス設定ＮＧの「ＳＮＭＰ  Ｔｒａｐ」制御情報を失敗理由と共に送信する（ステップＳ２１）。受信した制御端末２２は、画面上にパス設定がＮＧになった理由を表示し（ステップＳ２２）、完了する。
【００８６】
また、Ｎｏ．１の無線装置１０側では、パス設定が失敗した場合には、内部に保存しているパスルート配下の全無線装置１０の旧パス設定情報を用いて、制御が成功した無線装置１０に対して、パス設定を戻す処理を実行する（ステップＳ２３）。処理を戻す理由は、制御端末２２のパス設定情報と、全無線装置１０のパス設定情報の不一致を回避させるためである。また、図１６のシーケンス例では、Ｎｏ．２の無線装置１０のパス設定制御が失敗した場合を説明したが、他のどの無線装置１０のパス設定制御が失敗した場合でも同じ処理が走ることとする。
【００８７】
以上説明したように、本実施の形態によれば、マイクロ波無線通信装置の両端が端局装置、その間が複数の中継装置として繋がれることにより全体の系が構成されるマイクロ波無線通信システムにおいて、統合監視制御端末の全装置表示ＭＡＰ画面上で、パスを張りたい要所装置シンボルに対して連続でマウス操作を行う。こうすることにより、簡易的に複数パスを同時設定することを可能とする方法を持ち、ネットワークの新規構築や増設時の運用・保守の利便性向上を可能とする。
【００８８】
また、本実施の形態は、統合監視制御端末から対象装置への複数パス設定に関しては、始点装置をＭａｓｔｅｒ装置として動作させ、Ｍａｓｔｅｒ装置が他装置のパス設定制御を順番に着実に実行し、全装置制御が完了になったことにより、Ｍａｓｔｅｒ装置が統合監視制御端末に完了報告を通知する。こうすることにより、無線通信装置間特有の無線品質劣化によるＳＮＭＰ  Ｔｒａｐ通知消失によるパス設定失敗時の統合監視制御端末と各装置間のパス情報不一致状態を回避させることを可能とする。
【００８９】
従って、本実施の形態においては、以下に記載するような効果を奏する。
【００９０】
第１の効果は、マイクロ波無線通信装置の両端が端局装置、その間が複数の中継装置として繋がれることにより全体の系が構成されるマイクロ波無線通信システムにおいて、統合監視制御端末の全装置表示ＭＡＰ画面上で、パスを張りたい要所装置シンボルに対して連続でマウス操作を行うことにより、簡易的に複数パスを同時設定することを可能とする方法を持ち、ネットワークの新規構築や増設時の運用・保守の利便性向上を可能とする。
【００９１】
第２の効果として、統合監視制御端末から対象装置への複数パス設定に関しては、始点装置をＭａｓｔｅｒ装置として動作させ、Ｍａｓｔｅｒ装置が他装置のパス設定制御を順番に着実に実行し、全装置制御が完了になったことにより、Ｍａｓｔｅｒ装置が統合監視制御端末に完了報告を通知することにより、無線通信装置間特有の無線品質劣化によるＳＮＭＰ  Ｔｒａｐ通知消失によるパス設定失敗時の統合監視制御端末と各装置間のパス情報不一致状態を回避させることを可能とする。
【００９２】
なお、上記実施の形態では、Ｒｏｏｔ  ＮＥのＮｏ．１の無線装置が始点装置として選択され、Ｍａｓｔｅｒ装置として動作する場合を説明しているが、本発明はこれに限定されるものではなく、Ｒｏｏｔ  ＮＥ以外の他の無線装置が始点装置として選択され、Ｍａｓｔｅｒ装置として動作する場合でも適用可能である。
【００９３】
また、上記実施の形態では、操作手段としてマウスを用いる場合を説明しているが、本発明はこれに限定されるものではなく、マウス以外のポインティングデバイスでも適用可能である。
【００９４】
また、上記実施の形態に係るマイクロ波無線通信システムを構成するマイクロ波無線通信装置及び統合監視制御端末は、上述した構成要素の各処理（機能）を実現可能なものであれば、その装置の物理的構成、その装置内部のハードウェア（回路）及びソフトウェア（プログラム）構成については、特に限定されるものではない。例えば、独立して個別の回路やユニット或いはプログラム部品（プログラムモジュール等）を構成したり、１つの回路やユニット内に一体的に構成したりする等、いずれの形態のものでも適用可能である。これらの形態は、実際に使用する装置の機能や用途等の事情に応じて適宜選択、変更、変形等して実施してもよい。
【００９５】
また、上述した構成要素の各機能に対応して、これらと同様の処理を行う各処理ステップを有する動作方法も、本発明の範疇に含まれる。
【００９６】
さらに、上述した構成要素の各機能の内の少なくとも一部の処理は、ＣＰＵ（Central Processing Unit）を有するマイクロプロセッサ等の処理装置で構成されるコンピュータによるソフトウェア処理で実現してもよい。この場合、コンピュータを機能させるための動作プログラムは、本発明の範疇に含まれる。
【００９７】
この動作プログラムは、ＣＰＵにより直接実行可能な形式のプログラムに限らず、ソース形式のプログラムや、圧縮処理されたプログラム、暗号化されたプログラム等、種々形態のプログラムを含む。また、このプログラムは、装置全体の制御を行うＯＳ（Operating System）やファームウェア等の制御プログラムと連携して動作し、或いはその一部に組み込まれて一体的に動作するアプリケーションプログラムやそれを構成するソフトウェア部品（ソフトウェアモジュール）等、いずれの形態でも提供可能である。さらに、このプログラムは、無線又は有線回線を介して外部装置と通信する通信機能を有する装置に実装して使用する場合、例えば回線上に接続されたサーバ等の外部ノードからダウンロードして自装置内の記録媒体にインストールして使用することもできる。これらの形態は、実際に使用する装置の機能や用途等の事情に応じて適宜選択、変更、変形等して実施してもよい。
【００９８】
また、上記のプログラムを記録したコンピュータ読み取り可能な記録媒体も、本発明の範疇に含まれる。この場合、記録媒体は、ＲＯＭ（Read Only Memory）等のメモリ等、装置内に固定して使用されるものや、利用者により持ち運びが可能な可搬型のもの等、いずれの形態のものでも適用可能である。
【００９９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【産業上の利用可能性】
【０１００】
本発明は、マイクロ波無線通信装置の両端が端局装置、その間が複数の中継装置として繋がれることにより全体の系が構成されるマイクロ波無線通信システム、その複数パス同時設定方法、及び装置間パス設定制御方法、マイクロ波無線通信装置、統合監視制御端末、これらの動作方法、動作プログラム等の用途に適用できる。
【図面の簡単な説明】
【０１０１】
【図１】本発明の実施の形態に係るマイクロ波無線通信システムの全体構成を示す概要図である。
【図２】図１に示すマイクロ波無線通信装置の内部構成を示す概略ブロック図である。
【図３】図２に示す自パス情報保存部に格納される自パス情報の一例を説明する図である。
【図４】図２に示す受信全パス情報保存部に格納される受信全パス情報の一例を説明する図である。
【図５】図１に示すマイクロ波無線通信装置と統合監視制御端末との間のＳＮＭＰ通信を説明する概要図である。
【図６】図１に示す統合監視制御端末の内部構成を示す概略ブロック図である。
【図７】図６に示すパス情報保存部に格納されるパス情報の一例を説明する図である。
【図８】図６に示すＣＨ設定結果保存部に格納されるＣＨ設定結果（ルート情報）の一例を説明する図である。
【図９】図６に示す装置ＣＨ情報保存部に格納される装置ＣＨ情報の一例を説明する図である。
【図１０】図６に示すネットワーク構成情報保存部に格納されるネットワーク構成情報の一例を説明する図である。
【図１１】図１に示す統合監視制御端末のパスルート表示画面及びＣＨ使用率画面を説明する図である。
【図１２】（ａ）及び（ｂ）は、図１１に示すパスルート表示画面から遷移して表示されるＣＨ本数選択画面及びＣＨ設定結果画面を説明する図である。
【図１３】図１１に示すパスルート表示画面上で選択されたパスのルート表示を説明する図である。
【図１４】図１１に示すパスルート表示画面上でパス選択画面を表示させる場合を説明する図である。
【図１５】（ａ）及び（ｂ）は、図１４に示すパスルート表示画面から遷移して表示されるパス選択画面及びＣＨ設定結果画面を説明する図である。
【図１６】図１に示す統合監視制御端末のパス設定動作の概要を説明する概略シーケンス図である。
【図１７】図１６のパス設定動作時におけるＣＨ設定結果画面の再Ｏｐｅｎ動作を説明する概要シーケンス図である。
【図１８】図１に示すマイクロ波無線通信システムのパス設定方法を説明する概略シーケンス図である。
【図１９】図１８のパス設定方法において、パス設定が失敗した場合を説明する概略シーケンス図である。
【符号の説明】
【０１０２】
１０  マイクロ波無線通信装置
１１  制御部
１２  無線回路部２
１３  無線回路部１
１４  無線回路部３
１５  ＳＮＭＰ通信処理部
１６  Ａｌａｒｍ検出処理部
１７  自パス情報保存部
１８  パス管理処理部
１９  受信全パス情報保存部
２０  監視制御端末インタフェース部
２１  アンテナ
２２  統合監視制御端末
１００  パス管理データベース
１０１  装置ＣＨ情報保存部
１０２  パス情報保存部
１０３  ＣＨ設定結果（ルート情報）保存部
１０４  制御部
１０５  画面作成処理部
１０６  マウス操作検出処理部
１０７  空きＣＨ／Ａｌａｒｍ検出処理部
１０８  ＣＨ使用率検出処理部
１０９  ネットワーク構成情報保存部
１１０  表示部
１１１  操作部
１１２  インタフェース部
２０１  マイクロ波無線通信システム
２０２  無線回線
【図１】
2010118837.tif 000003
【図２】
2010118837.tif 000004
【図３】
2010118837.tif 000005
【図４】
2010118837.tif 000006
【図５】
2010118837.tif 000007
【図６】
2010118837.tif 000008
【図７】
2010118837.tif 000009
【図８】
2010118837.tif 000010
【図９】
2010118837.tif 000011
【図１０】
2010118837.tif 000012
【図１１】
2010118837.tif 000013
【図１２】
2010118837.tif 000014
【図１３】
2010118837.tif 000015
【図１４】
2010118837.tif 000016
【図１５】
2010118837.tif 000017
【図１６】
2010118837.tif 000018
【図１７】
2010118837.tif 000019
【図１８】
2010118837.tif 000020
【図１９】
2010118837.tif 000021